(57)【特許請求の範囲】
【請求項１】
障子と、この障子を、水平軸の回りで回動自在に支持する支持機構と、障子を水平軸の回りで回動させて窓を開閉する窓開閉機構と、窓の最大開放を規定する規定機構とを具備しており、窓開閉機構は、操作ハンドルと、操作ハンドルの操作に基づく回転によって回動される第一のアームと、一端部がこの第一のアームに回動自在に連結された第二のアームと、この第二のアームの他端部が回動自在に連結されていると共に、障子の上部に連結された上下動自在な移動部材と、この移動部材の上下動を案内する案内機構とを具備しており、案内機構は、移動部材に回転自在であって、夫々が上下方向に間隔をあけて取り付けられた複数個のローラと、複数個のローラの夫々が上下方向に移動自在に嵌装されている上下方向に伸びた案内部材とを具備しており、複数個のローラの案内部材に沿った移動により移動部材の上下方向の移動を案内するようになっており、規定機構は、第一のアームに対する第二のアームの回動角を規制するように、第二のアームに取り付けられて、第一のアームと第二のアームとの間に設けられた規制片を具備しており、規制片は、第一のアームと第二のアームとの間の角度が窓の最大開放時における一定値になる際に、第一のアームに当接する当接面を具備している窓装置。
【請求項２】
支持機構は、障子を、上昇、下降自在にも支持するようになっており、窓開閉機構は、窓の開放開始時及び閉鎖完了時に、障子を所定量だけ下降及び上昇させるようにもなっている請求項１に記載の窓装置。
【発明の詳細な説明】
【技術分野】
【０００１】
本発明は、建物の窓に障子を一段又は多段に配すると共に水平軸の回りで回動自在に配置し、障子を水平軸の回りで回動させて窓を開閉するようにした窓装置、特にオーニング窓等の辷り出し窓装置に関する。
【発明の開示】
【発明が解決しようとする課題】
【０００２】
従来、オーニング窓においては、通常、窓枠の一方の縦枠に取り付けられた操作ハンドルを手動により回転させ、この回転を障子の片側又は両側に伝達して、これにより障子を回動させて窓を開閉している。
【０００３】
ところで、このような従来のオーニング窓では、障子の両側での回動が均等に行われ難く、障子の両側での回動に位相差が生じて、障子の一方側が完全開放状態又は完全閉鎖状態でも、障子の他方側がそうでない等の不都合が生じ得る虞がある。
【０００４】
また、操作ハンドルの操作に基づく回転を往復動に変換して、この往復動により障子を辷り回動させるようにする場合、障子の完全閉鎖状態の近傍では障子への回動力が小さくなり、このため障子を完全閉鎖状態に辷り移行させること及び操作ハンドルの回転停止状態の保持のみで障子の完全閉鎖状態を維持することが夫々困難となり、極めて大きな回動力を操作ハンドルに加えることが必要となると共に、容易に完全閉鎖状態が解除されるという不都合がある。
【０００５】
更に、操作ハンドルは、通常、ハンドル本体と、このハンドル本体に取り付けられた把持ノブとを具備して構成されるが、非操作時に、ハンドル本体に何らかの意図しない原因で回転力が加わっても、これが回転されないようになっていることが好ましく、しかも、非操作時には、把持ノブは不必要とされ、これがハンドル本体から突出していると美観上好ましくないという不都合がある。
【０００６】
本発明は、前記諸点に鑑みてなされたものであって、その目的とするところは、障子を完全閉鎖状態に維持することができる窓装置を提供することにある。
【０００７】
本発明の他の目的とするところは、完全閉鎖状態の近傍から完全閉鎖状態に障子を容易に移行させることができる窓装置を提供することにある。
【０００８】
本発明の更に他の目的とするところは、非操作時に、操作ハンドルを簡単な操作でもって確実な非回転状態に維持でき、しかも、美観に優れた操作ハンドルを具備した窓装置を提供することにある。
【０００９】
本発明の更に他の目的とするところは、障子の両側での回動を均等に行わせることができ、而して、障子の一方側が完全開放状態又は完全閉鎖状態でも、障子の他方側がそうでない等の不都合が生じない窓装置を提供することにある。
【００１０】
本発明の更に他の目的とするところは、組み立て、分解、保守等が容易な窓装置を提供することにある。
【課題を解決するための手段】
【００１１】
本発明の第一の態様の窓装置は、障子と、この障子を、上昇、下降自在であって且つ水平軸の回りで回動自在に支持する支持機構と、障子を水平軸の回りで回動させて窓を開閉すると共に、窓の開放開始時及び閉鎖完了時に、障子を所定量だけ下降及び上昇させる窓開閉機構と、この窓開閉機構による障子の所定量の上昇において障子を窓完全閉鎖位置に引き寄せる引き寄せ機構とを具備しており、引き寄せ機構は、障子の側面及び窓枠の縦枠のいずれか一方に固定して配された係合突出体と、障子の側面及び窓枠の縦枠のいずれか他方に固定して配された案内面とを具備しており、窓開閉機構による障子の所定量の上昇において係合突出体が案内面に案内されることにより、障子を窓閉鎖位置に引き寄せるようになっており、係合突出体は、回転自在なローラを具備しており、案内面による係合突出体の案内において、ローラが案内面に接触するようになっている。
【００１２】
本発明の第一の態様の窓装置では、窓の閉鎖過程における完全閉鎖状態の近傍から障子が案内面により閉鎖位置に強制的に引き寄せられるため、完全閉鎖状態に障子を容易に移行させることができ、しかも、係合突出体の被係合凹所への移動案内がローラを介して行われることにより、障子を完全閉鎖状態の近傍から完全閉鎖状態へ滑らかに移行させることができ、而して完全閉鎖状態に障子を更に容易に移行させることができる。好ましい例では、係合突出体を障子の側面に、案内面を窓枠の縦枠に配する。
【００１３】
本発明の第二の態様の窓装置では、第一の態様の窓装置において、窓開閉機構による障子の所定量の上昇において障子回動をロックする一方、窓開閉機構による障子の所定量の下降において障子回動のロックを解除するロック機構を更に具備している。
【００１４】
第二の態様の窓装置によれば、ロック機構を具備しているため、障子が何らかの原因で下降されない限り、障子を完全閉鎖状態に維持することができ、風圧等によって障子が容易に開放状態にされるようなことがない。
【００１５】
本発明の第三の態様の窓装置では、第二の態様の窓装置において、ロック機構は、前記の係合突出体と、障子の側面及び窓枠の縦枠のいずれか他方に固定して配された被係合凹所とを具備しており、係合突出体は、窓開閉機構による障子の所定量の上昇において被係合凹所に配され、窓開閉機構による障子の所定量の下降において被係合凹所から抜け出るようになっており、被係合凹所の開口端に、引き寄せ機構の案内面が形成されている。本発明における被係合凹所としては、一つの好ましい例では、少なくとも上下方向に伸びた一対の対向する平行な面によって規定されて一端面が開口した長孔であるが、これに必ずしも限定されず、上下方向に伸びた一つの面のみによって規定された凹所であってもよい。
【００１６】
本発明の第四の態様の窓装置では、上記のいずれかの態様の窓装置において、支持機構は、窓枠と、一端部が障子の側面及び窓枠の縦枠のいずれか一方に水平軸の回りで回動自在に、他端部が障子の側面及び窓枠の縦枠のいずれか他方に上昇、下降自在であって且つ水平軸の回りで回動自在に夫々連結された連結部材とを具備している。
【００１７】
窓を規定する窓枠は、通常、上枠、下枠及び左右の縦枠からなり、第四の態様の窓装置において、連結部材は、好ましい例では、その一端部が、障子の側面に水平軸の回りで回動自在に、その他端部が、縦枠に上昇、下降自在であって且つ水平軸の回りで回動自在に連結されて、配されるが、これに必ずしも限定されない。
【００１８】
本発明の第五の態様の窓装置では、第四の態様の窓装置において、ロック機構は、障子の側面及び窓枠の縦枠のいずれか他方に又は連結部材の他端部に固定して配された孔と、連結部材の他端部に又は障子の側面及び窓枠の縦枠のいずれか他方に固定して配されて、且つ孔に挿入された二面体とを具備しており、孔は、二面孔と、この二面孔に連通した円孔とを具備しており、二面体は、窓開閉機構による障子の所定量の上昇において二面孔に配されて、二面孔に対して非回転自在とされ、窓開閉機構による障子の所定量の下降において円孔に配されて、円孔に対して回転自在となるようになっている。
【００１９】
本発明において二面体とは、二面孔に配される際、二面孔に嵌合して二面孔に対して非回転自在とされるものをいい、したがって、少なくとも互いに平行な一対の平坦面を有しているもの、例えば矩形体（四角柱体）、六角柱体又は円柱体の一部をその軸対称に切り取ったもの等を含み、ここで円柱体の一部をその軸対称に切り取ったものが好ましい。
【００２０】
また、第五の態様の窓装置では、二面体は、連結部材の他端部を障子の側面及び窓枠の縦枠のいずれか他方に回動自在に連結するための軸部材に一体的に形成される。この軸部材は、連結部材の他端部、障子の側面及び窓枠の縦枠のいずれに固定して設けられてもよい。更に、第五の態様の窓装置において、第一の態様の窓装置における案内面と同様の案内面を二面孔と円孔との間に設けて、二面孔と円孔からなるロック機構にも、窓開閉機構による障子の所定量の上昇において障子を窓完全閉鎖位置に引き寄せる引き寄せ機能をもたせてもよい。
【００２１】
本発明の第六の態様の窓装置では、上記のいずれかの態様の窓装置において、窓開閉機構は、回転自在な操作ハンドルと、操作ハンドルの回転を、当該回転の軸に直交する軸の回りの回転に変換する回転転向機構と、この回転転向機構からの出力回転を往復動に変換する回転−往復動変換機構とを具備している。
【００２２】
本発明の第七の態様の窓装置では、第六の態様の窓装置において、窓開閉機構は、回転転向機構の出力回転軸を回転−往復動変換機構の入力回転軸に連結する連結手段を具備しており、連結手段は、一端部が回転転向機構の出力回転軸に軸方向に移動自在に嵌着されており、他端部が回転−往復動変換機構の入力回転軸に軸方向に移動自在に嵌着された連結軸部材と、連結軸部材を軸方向に弾性的に付勢して、連結軸部材の一端部及び他端部の回転転向機構の出力回転軸及び回転−往復動変換機構の入力回転軸からの抜け出しを防止する抜け出し防止手段とを具備している。
【００２３】
第七の態様の窓装置によれば、回転転向機構をユニット化でき、しかも、このユニット化された回転転向機構を回転−往復動変換機構に容易に連結でき、組み立て、保守等を短時間で行うことができ、極めて好ましい。
【００２４】
本発明の第八の態様の窓装置では、第六又は七の態様の窓装置において、回転転向機構は、操作ハンドルの回転によって回転されるウオーム歯車と、このウオーム歯車に噛合ったピニオン歯車とを具備している。
【００２５】
本発明の第九の態様の窓装置では、上記のいずれかの態様の窓装置において、窓開閉機構は、窓の最大開放を規定する規定機構を具備している。また、本発明の第十の態様の窓装置では、第九の態様の窓装置において、回転−往復動変換機構は、操作ハンドルの操作に基づく回転によって回動される第一のアームと、一端部がこの第一のアームに回動自在に連結された第二のアームと、この第二のアームの他端部が回動自在に連結されていると共に障子の上部に連結されて、直線往復動自在、即ち上下動自在な移動部材と、この移動部材の上下動（又は直線往復動）を案内する案内機構とを具備しており、規定機構は、第一のアームに対する第二のアームの回動角を規制するように、第一のアームと第二のアームとの間に設けられた規制片を具備している。このように規定機構、好ましくは、第十の態様の窓装置のように規制片を具備した窓装置では、窓の開け過ぎ等の不都合をなくし得る。
【００２６】
本発明の第十一の態様の窓装置では、障子と、この障子を水平軸の回りで回動自在に支持する支持機構と、障子を水平軸の回りで回動させて窓を開閉する窓開閉機構とを具備しており、支持機構は、障子の回りに配された窓枠を具備しており、開閉機構は、ハンドル本体と、把持ノブとを有した操作ハンドルを具備しており、把持ノブは、その一端部が窓枠の下枠又はその近傍に出入自在となるように、ハンドル本体に可動に取り付けられており、窓枠の下枠又はその近傍には、把持ノブの一端部を受容して、弾性的に係止する弾性係止手段が設けられている。
【００２７】
第十一の態様の窓装置によれば、非操作時に、簡単な操作でもって操作ハンドルを非回転状態に確実に維持でき、しかも、美観に優れた操作ハンドルを具備した窓装置を提供し得る。
【００２８】
本発明の第十二の態様の窓装置では、障子と、この障子を、水平軸の回りで回動自在に支持する支持機構と、障子を水平軸の回りで回動させて窓を開閉する窓開閉機構と、窓の最大開放を規定する規定機構とを具備しており、窓開閉機構は、操作ハンドルと、操作ハンドルの操作に基づく回転によって回動される第一のアームと、一端部がこの第一のアームに回動自在に連結された第二のアームと、この第二のアームの他端部が回動自在に連結されていると共に、障子の上部に連結された上下動自在な移動部材と、この移動部材の上下動を案内する案内機構とを具備しており、規定機構は、第一のアームに対する第二のアームの回動角を規制するように、第一のアームと第二のアームとの間に設けられた規制片を具備している。
【００２９】
本発明の第十三の態様の窓装置では、障子と、この障子を水平軸の回りで回動自在に支持する支持機構と、障子を水平軸の回りで回動させて窓を開閉する窓開閉機構とを具備しており、窓開閉機構は、回転自在な操作ハンドルと、この操作ハンドルの操作に基づく回転を、当該回転の軸に直交する軸の回りの回転に変換する回転転向機構と、回転転向機構の出力回転軸の回転を往復動に変換する回転−往復動変換機構と、回転転向機構の出力回転軸を回転−往復動変換機構の入力回転軸に連結する連結手段とを具備しており、連結手段は、一端部が回転転向機構の出力回転軸に軸方向に移動自在に嵌着されており、他端部が回転−往復動変換機構の入力回転軸に軸方向に移動自在に嵌着された連結軸部材と、連結軸部材を軸方向に弾性的に付勢して、連結軸部材の一端部及び他端部の回転転向機構の出力回転軸及び回転−往復動変換機構の入力回転軸からの抜け出しを防止する抜け出し防止手段とを具備している。
【００３０】
第十三の態様の窓装置によれば、回転転向機構をユニット化でき、しかも、このユニット化された回転転向機構を回転−往復動変換機構に容易に連結でき、組み立て、保守を短時間で行うことができる。
【００３１】
本発明の第十四の態様の窓装置では、障子と、この障子を、当該障子の両側で、水平軸の回りで回動自在に支持する支持機構と、障子を、当該障子の両側で、水平軸の回りで回動させて窓を開閉する窓開閉機構とを具備しており、窓開閉機構は、回転自在な操作ハンドルと、この操作ハンドルの操作に基づく回転を、当該回転の軸に直交する軸の回りの回転に変換して、互いに反対方向の位置にその回転を出力する出力回転軸を有した回転転向機構と、回転転向機構の各出力回転軸の回転を往復動に変換して、障子を、当該障子の両側で、水平軸の回りで回動させる回転−往復動変換機構とを具備している。
【００３２】
第十四の態様の窓装置によれば、操作ハンドルの操作に基づく回転を障子の両側に所望に同期して伝達することができて、障子の両側での回動を均等に行わせることができ、而して、障子の一方側が完全開放状態又は完全閉鎖状態でも、障子の他方側がそうでない等の不都合をなくし得る。  
【００３３】
本発明の第十五の態様の窓装置では、第十四の態様の窓装置において、支持機構は、障子の回りに配された窓枠を具備しており、操作ハンドルは、窓枠の下枠又はその近傍に設けられている。
【００３４】
本発明の第十六の態様の窓装置では、第十五の態様の窓装置において、操作ハンドルは、ハンドル本体と、把持ノブとを具備しており、把持ノブは、その一端部が窓枠の下枠又はその近傍に出入自在となるように、ハンドル本体に可動に取り付けられており、窓枠の下枠又はその近傍には、把持ノブの一端部を受容して、弾性的に係止する弾性係止手段が設けられている。
【００３５】
本発明の第十七の態様の窓装置では、第十一から第十六の態様のいずれかの窓装置において、回転転向機構は、操作ハンドルの回転によって回転されるウオーム歯車と、このウオーム歯車に噛合ったピニオン歯車とを具備しており、回転転向機構の出力回転軸は、ピニオン歯車の回転により回転されるようになっている。
【００３６】
本発明の第十八の態様の窓装置では、第十一から第十七の態様のいずれかの窓装置において、支持機構は、障子を、上昇、下降自在にも支持するようになっており、窓開閉機構は、窓の開放開始時及び閉鎖完了時に、障子を所定量だけ下降及び上昇させるようにもなっている。
【発明の効果】
【００３７】
本発明によれば、障子を完全閉鎖状態に維持することができ、また、完全閉鎖状態の近傍から完全閉鎖状態に障子を容易に移行させることができ、更に、非操作時に、操作ハンドルを簡単な操作でもって確実な非回転状態に維持でき、しかも、美観に優れた操作ハンドルを具備した窓装置を提供することができ、その上、障子の両側での回動を均等に行わせることができ、而して、障子の一方側が完全開放状態又は完全閉鎖状態でも、障子の他方側がそうでない等の不都合が生じない窓装置を提供することができ、加えて、組み立て、分解、保守等が容易な窓装置を提供することができる。
【発明を実施するための最良の形態】
【００３８】
次に本発明及びその実施の形態を、図に示すオーニング窓の例を参照して更に詳細に説明する。なお、本発明はこの例に何等限定されないのである。
【００３９】
図１から図１３において、本例のオーニング窓１は、障子２と、障子２を、上昇、下降自在であって且つ水平軸の回りで回動自在に支持する支持機構４と、障子２を水平軸の回りでＲ方向に回動させて窓５を開閉すると共に、窓５の開放開始時及び閉鎖完了時に、障子２を所定量だけ下降及び上昇させる窓開閉機構６と、窓開閉機構６による障子２の所定量の上昇において障子２の回動をロックする一方、窓開閉機構６による障子２の所定量の下降において障子２の回動のロックを解除するロック機構７と、窓開閉機構６による障子２の所定量の上昇において障子２を窓開閉位置に引き寄せる引き寄せ機構８と、操作ハンドル９の把持ノブ１０の一端部１１を受け入れて、当該一端部１１を弾性的に係止する弾性係止手段１２とを具備している。
【００４０】
障子２は、窓５に縦方向に三段直列（図１４参照）に配されており、３段の障子２の夫々は、窓開閉機構６により互いに同期してＲ方向に回動され、所定量だけ下降及び上昇されるようになっている。なお、障子２は一段でもよく、一段の障子２で窓５の全体を開放、閉鎖するようにしてもよい。障子２の夫々は、箱状の障子本体１５と、障子本体１５の両側面２２に螺子等により固着された連結板１６とを具備しており、障子本体１５には窓ガラス等が嵌め込まれている。
【００４１】
障子２の左側と右側とは、同様に構成されているので、以下、障子２の左側について主に説明し、対応の箇所には必要に応じて同一の符号にａを付して図示し、また、各段の障子２に対してほぼ同様に構成されているので、同じく以下、最下段の障子２について主に説明する。
【００４２】
支持機構４は、窓枠２１と、障子２の側面２２の連結板１６に固着された軸部材２３と、窓枠２１の縦枠２４に固着されたブラケット２５と、一端部２６が軸部材２３を介して水平軸の回りで回動自在に連結板１６に連結された板状の連結部材２７と、連結部材２７の他端部２８に固着された軸部材２９とを具備しており、軸部材２９は、ブラケット２５に形成された孔３０に配されている。
【００４３】
障子２の回りに配された窓枠２１は、前記の左側の縦枠２４と、右側の縦枠２４ａと、上下枠３６（図１４参照）及び３７とを具備しており、窓５を規定している。
【００４４】
ロック機構７は、本例では、二種類のロック機構を具備しており、二種類のロック機構のうち一方のロック機構である、支持機構４に設けられたロック機構７は、縦枠２４に固定して配された前記の孔３０と、連結部材２７の他端部２８に固定して配されており、孔３０に挿入された円柱状の軸部材２９に二面取部として形成された二面体４１とを具備しており、孔３０は、一端が開口した長孔からなる二面孔４２と、二面孔４２の開口端で当該二面孔４２に連通した円孔４３とを具備しており、二面体４１は、窓開閉機構６による障子２の所定量の上昇において二面孔４２に配されて、二面孔４２に対して非回転自在とされ、窓開閉機構６による障子２の所定量の下降において円孔４３に配されて、円孔４３に対して回転自在とされるようになっている。このようなロック機構７並びに軸部材２９、ブラケット２５及び孔３０を介して、連結部材２７の他端部２８は、窓枠２１の縦枠２４に上昇、下降自在であって且つ水平軸の回りで回動自在に連結されている。
【００４５】
二種類のロック機構のうち他のロック機構７は、障子２毎に二個（図２には一個のみ図示）であって、障子２の上方と下方とに夫々設けられており、夫々は、障子２の側面に固定して配された係合突出体４６と、縦枠２４に取り付けられた板部材４７と、板部材４７に形成された被係合凹所４８とを具備しており、係合突出体４６は、障子２の側面に植設された軸部材４９と、軸部材４９に回転自在に装着されたローラ５０とを具備しており、係合突出体４６のローラ５０は、窓開閉機構６による障子２の所定量の上昇において被係合凹所４８に配され、窓開閉機構６による障子２の所定量の下降において被係合凹所４８から抜け出るようになっている。
【００４６】
この他のロック機構７には、引き寄せ機構８が併設されており、引き寄せ機構８は、ロック機構７に用いられた上記の係合突出体４６と、上記の被係合凹所４８の開口端に形成された案内面５１とを具備しており、引き寄せ機構８は、窓開閉機構６による窓完全閉鎖直前の障子２の所定量の上昇において、係合突出体４６のローラ５０を案内面５１に接触させて、被係合凹所４８への移動を案内して、而して、障子２を完全閉鎖位置に引き寄せるようになっている。
【００４７】
窓開閉機構６は、回転自在な上記の操作ハンドル９と、操作ハンドル９の回転を、当該回転の軸に直交する軸の回りの回転に変換して、互いに反対方向の位置にその回転を出力する回転転向機構５２と、操作ハンドル９の回転に基づく回転転向機構５２の出力回転軸５３の回転を、往復動に変換する回転−往復動変換機構５４と、回転転向機構５２の出力回転軸５３を回転−往復動変換機構５４の入力回転軸５５に連結する連結手段５６と、窓の最大開放を規定する規定機構５７とを具備している。
【００４８】
操作ハンドル９は、下枠３７の一方の面に配されており、ハンドル本体６０と、前記の把持ノブ１０とを具備しており、把持ノブ１０は、その一端部１１が窓枠の下枠３７に設けられた弾性係止手段１２に出入自在となるように、ハンドル本体６０の貫通孔６１に可動に取り付けられており、ノブ本体６２と、ノブ本体６２の両端に形成されて、ノブ本体６２の貫通孔６１からの抜け出しを防止するフランジ部６３及び６４とを具備している。
【００４９】
回転転向機構５２は、操作ハンドル９の回転を減速する減速歯車機構６５と、減速歯車機構６５の出力回転を、当該回転の軸に直交する軸の回りの回転に変換する回転転向歯車機構６６とを具備しており、減速歯車機構６５は、下枠３７に取り付けられた歯車箱６７と、歯車箱６７に軸受６８及び６９を介して回転自在に支持されて、互いに噛み合った小歯車７０及び大歯車７１とを具備しており、小歯車７０の軸部７２にハンドル本体６０の一端部が嵌着されている。
【００５０】
回転転向歯車機構６６は、歯車箱６７を介して下枠３７に取り付けられた歯車箱７５と、軸部７６を一体的に有しており、軸部７６の一端部では軸受（図示せず）を介して回転自在に歯車箱７５に、軸部７６の他端部では、大歯車７１の中央の貫通孔に嵌着されたウオーム歯車７７と、ウオーム歯車７７に噛み合うピニオン歯車７８と、ピニオン歯車７８の中央の貫通孔に嵌着されていると共に、歯車箱７５に軸受８０及び８０ａを介して回転自在に支持されており、両端部７９及び７９ａが歯車箱７５から突出した前記の出力回転軸５３とを具備しており、出力回転軸５３の両端部７９及び７９ａの夫々は、六角軸として形成されている。
【００５１】
回転転向機構５２は、手動操作による操作ハンドル９の回転を、小歯車７０、大歯車７１、ウオーム歯車７７、ピニオン歯車７８を介して出力回転軸５３に伝達して、当該出力回転軸５３を回転させ、而して、操作ハンドル９の操作に基づく回転を、当該回転の軸に直交する軸の回りの回転に変換して、互いに反対方向の位置にその回転を出力するようになっている。
【００５２】
連結手段５６は、一端部８５がその内部で回転転向機構５２の出力回転軸５３の一端部７９を軸方向に移動自在に嵌合させており、他端部８６がその内部で回転−往復動変換機構５４の入力回転軸５５に軸方向に移動自在に嵌合させている六角パイプからなる連結軸部材８７と、連結軸部材８７を軸方向に弾性的に付勢して、連結軸部材８７の一端部８５及び他端部８６の回転転向機構５２の出力回転軸５３及び回転−往復動変換機構５４の入力回転軸５５からの抜け出しを防止する抜け出し防止手段８８とを具備している。連結軸部材８７の他端部８６の内部と嵌合する入力回転軸５５の一端部は、出力回転軸５３の両端部７９及び７９ａの夫々と同様に六角軸として形成されている。
【００５３】
抜け出し防止手段８８は、連結軸部材８７に装着されたばね受けとしてのピン９１と、歯車箱７５の外側側面に配されたばね受けとしてのワッシャ９２と、ピン９１及びワッシャ９２に間で連結軸部材８７を取り囲んで配されたコイルばね９３とを具備しており、コイルばね９３の弾性伸長力によりピン９１を介して連結軸部材８７を入力回転軸５５に向かって付勢しており、これにより、連結軸部材８７の一端部８５及び他端部８６の回転転向機構５２の出力回転軸５３及び回転−往復動変換機構５４の入力回転軸５５からの抜け出しを防止している。
【００５４】
出力回転軸５３の他端部７７ａ側に設けられる連結手段５６ａも同様に形成されている。
【００５５】
なお、連結軸部材８７をコイルばね９３の弾性伸長力に抗して歯車箱７５に向かって軸方向に移動させて、その他端部８６の入力回転軸５５への嵌合を解除し、その後、撓みを利用しながら連結軸部材８７を逆に移動させて、出力回転軸５３の一端部７９からその一端部８５を引き出し、当該一端部８５の出力回転軸５３の一端部７９への嵌合を解除することにより、連結軸部材８７を出力回転軸５３と入力回転軸５５との間から除去でき、また、以上の作業の逆を行うことにより、連結軸部材８７を出力回転軸５２と入力回転軸５５との間に容易に設置でき、而して減速歯車機構６５及び回転転向歯車機構６６を具備してユニット化された回転転向機構５２の設置、取り替え、保守等を容易に行うことができる。
【００５６】
連結手段５６は、回転転向機構５２の出力回転軸５３の回転により、連結軸部材８７を回転させて、この回転を回転−往復動変換機構５４の入力回転軸５５に伝達して、当該入力回転軸５５を回転させるようになっている。
【００５７】
回転−往復動変換機構５４は、回動自在なアーム１０１と、一端部１０２がアーム１０１の一端部１０３に軸部材１０４を介して垂直面内で回動自在に連結されたアーム１０５と、アーム１０５の他端部１０６が軸部材１０７を介して垂直面内で回動自在に連結されていると共に、障子２の上部である連結板１６に軸部材１０８を介して回動自在に連結されて、上下方向に伸びた長尺の上下動自在な移動部材１０９と、移動部材１０９の上下動を案内する案内機構１１０と、アーム１０１の下端部１１１を垂直面内で回動自在に支持する支持装置１１２とを具備している。
【００５８】
案内機構１１０は、移動部材１０９に夫々ピン１２１を介して回転自在であって、夫々が上下方向に間隔をあけて取り付けられた複数個のローラ１２２と、各ローラ１２２が上下方向に移動自在に嵌装されており、上下方向に伸びて縦枠２４内部に装着された案内部材１２３とを具備している。案内機構１１０は、ローラ１２２の案内部材１２３に沿った移動により移動部材１０９の上下方向の移動を案内する。
【００５９】
支持装置１１２は、前記の入力回転軸５５と、入力回転軸５５を回転自在に支持する軸受装置１３１とを具備しており、入力回転軸５５の一端部１３２は、連結軸部材８７の他端部８６の内部に嵌合できるように、前記のように六角軸部として形成されており、軸受装置１３１は、入力回転軸５５を回転自在に支持する転がり軸受１３３及び１３４を具備して、縦枠２４の内部に取り付けられている。アーム１０１の下端部１１１は、入力回転軸５５に固着されており、これにより、操作ハンドル９の操作に基づく連結軸部材８７の回転で入力回転軸５５が回転されると、アーム１０１もまた、垂直面内で回動されるようになっている。
【００６０】
規定機構５７は、アーム１０１に対するアーム１０５の回動角を規制するように、アーム１０５に取り付けられて、アーム１０１とアーム１０５との間に設けられた規制片１３５を具備している。規制片１３５は、アーム１０１とアーム１０５との間の角度が一定値になる際に、アーム１０１に当接する当接面１３６を具備している。規定機構５７は、窓の開放のための操作ハンドル９の操作に基づく入力回転軸５５の回転で、アーム１０１が所定量回動されてアーム１０１とアーム１０５との間の角度が一定値になると、規制片１３５の当接面１３６がアーム１０１に当接して、これにより、アーム１０１のそれ以上の回動、すなわち、操作ハンドル９のそれ以上の回転を阻止して、障子２による窓の最大開放を規定するようになっている。
【００６１】
移動部材１０９は、上段の更に二つの障子２の夫々の上部である連結板１６にも、軸部材１０８を介して回動自在に連結されており、したがって、移動部材１０９の上昇、下降により三段の障子２は、互いに同期して回動されるようになっている。
【００６２】
回転−往復動変換機構５４は、窓の開放のための操作ハンドル９の操作に基づく回転で入力回転軸５５が回転されると、アーム１０１を図１において反時計回りの方向に回動させ、アーム１０１のこの回動でアーム１０５を介して移動部材１０９を下降させて、初期のこの移動部材１０９の下降による連結板１６及び障子本体１５を介する連結部材２７の下降で、一方のロック機構７の軸部材２９の二面体４１を、二面孔４２から抜け出させて円孔４３に配し、二面体４１を回転可能の位置にもたらして当該一方のロック機構７のロックを解除すると共に、他のロック機構７のローラ５０を被係合凹所４８から抜け出させて当該他のロック機構７のロックを解除し、これらのロック解除後、更なるアーム１０５の回動による移動部材１０９の下降で、規制片１３５の当接面１３６がアーム１０１に当接されるまで、移動部材１０９に連結された連結板１６を介して連結部材２７の軸部材２９を中心とした反時計回りの方向の回動と共に障子２を軸部材２３を中心として図１において時計回りの方向に回動させて、図１４に示すように、窓を完全開放の状態に移行させる。
【００６３】
また、回転−往復動変換機構５４は、窓の閉鎖のための操作ハンドル９の操作に基づく逆回転で入力回転軸５５が前記と逆に回転されると、アーム１０１を図１において時計回りの方向に回動させ、アーム１０１のこの回動でアーム１０５を介して移動部材１０９を上昇させ、而して、移動部材１０９に連結された連結板１６を介して障子２を軸部材２３を中心として図１において反時計回りの方向に回動させると共に、連結部材２７をもまた軸部材２９を中心として図１において時計回りの方向に回動させる。更なる窓の閉鎖のための操作ハンドル９の操作に基づく回転による移動部材１０９の上昇において、窓の閉鎖直前で障子２を上方に持ち上げ、この持ち上げで、ローラ５０の案内面５１への接触により被係合凹所４８へのローラ５０の移動が促されて、障子２が閉鎖位置に引き寄せられ、同時に二面体４１を円孔４３から抜け出させて二面孔４２に配し、障子２を、窓開放側に回動させないように、二面体４１及び二面孔４２からなるロック機構７及びローラ５０及び被係合凹所４８からなるロック機構７によりロックして、窓を完全閉鎖の状態に移行させる。
【００６４】
窓開閉機構６では、回転転向機構５２により操作ハンドル９の操作に基づく回転を障子２の両側に伝達でき、この伝達された回転により回転−往復動変換機構５４により同期的に障子２の両側を上昇、下降及び回動させるために、障子２の両側での上昇、下降及び回動を均等に行わせることができ、而して、障子２の一方側が完全開放状態又は完全閉鎖状態でも、障子２の他方側がそうでない等の不都合をなくし得る。
【００６５】
弾性係止手段１２は、下枠３７に取り付けられて、側面に複数の貫通孔１４１を有したハウジング１４２と、ハウジング１４２の側面の回りに等間隔に夫々螺子１４３により片持ち支持されて取り付けられた複数個の板ばね１４４と、ハウジング１４２に取り付けられて、把持ノブ１０の必要以上のハウジング１４２内への挿入を防止するストッパ１４５とを具備している。各板ばね１４４は、Ｕ字状の曲折部１４６を有しており、曲折部１４６は、貫通孔１４１を通ってハウジング１４２内に突出している。
【００６６】
弾性係止手段１２は、把持ノブ１０の一部１１がハウジング１４２内に押し込まれることにより、弾性変形により板ばね１４４間のフランジ部６４の通過を許容し、フランジ部６４の通過後、曲折部１４６のフランジ部６４への弾性的係合により、把持ノブ１０の一部１１のハウジング１４２からの抜け出しを阻止する一方、把持ノブ１０が一定以上の力で引き出されようとすると、板ばね１４４を弾性変形させて、曲折部１４６のフランジ部６４への弾性的係合を解除させて、把持ノブ１０のハウジング１４２外への引き出しを可能とする。
【００６７】
このように弾性係止手段１２により、操作ハンドル９を操作しない際に、把持ノブ１０を格納できて、しかも、操作ハンドル９の意図しない回転を防止でき、而して、非操作時に、簡単な操作でもって操作ハンドル９を非回転状態に維持でき、しかも、美観に優れた操作ハンドルとし得る。
【図面の簡単な説明】
【００６８】
【図１】図２の例の一部側面図である。
【図２】本発明の好ましい一実施図の正面図である。
【図３】図２の例の側面図である。
【図４】図２の例の平面図である。
【図５】図２の例の一部拡大斜視図である。
【図６】図２の例の一部拡大断面図である。
【図７】図２の例の一部拡大断面図である。
【図８】図２の例の一部拡大断面図である。
【図９】図２の例の一部拡大断面図である。
【図１０】図２のＸ−Ｘ線断面図である。
【図１１】図２のＸＩ−ＸＩ線断面図である。
【図１２】図２のＸＩＩ−ＸＩＩ線断面図である。
【図１３】図２の例の一部拡大断面図である。
【図１４】図２の例の動作説明図である。
【符号の説明】
【００６９】
１  オーニング窓
２  障子
４  支持機構
５  窓
６  窓開閉機構
７  ロック機構
８  引き寄せ機構
９  操作ハンドル
１０  把持ノブ
１２  弾性係止手段
【図１】
0004552948.tif 000002
【図２】
0004552948.tif 000003
【図３】
0004552948.tif 000004
【図４】
0004552948.tif 000005
【図５】
0004552948.tif 000006
【図６】
0004552948.tif 000007
【図７】
0004552948.tif 000008
【図８】
0004552948.tif 000009
【図９】
0004552948.tif 000010
【図１０】
0004552948.tif 000011
【図１１】
0004552948.tif 000012
【図１２】
0004552948.tif 000013
【図１３】
0004552948.tif 000014
【図１４】
0004552948.tif 000015